(57)【要約】【課題】一般家庭におけるＣＯ２削減の意識を向上させることのできる家計簿システムを提供すること。【解決手段】  家計の支出対象による直接的及び／又は間接的なＣＯ２排出量を推定するＣＯ２排出量推定算出手段を有し、ディスプレイ１４によって、推定されたＣＯ２排出量のデータを収支データと伴に表示するように二酸化炭素排出量が家計の収支と伴に自動的に表示され、家計簿使用者は、収支結果を確認するときに、同時に二酸化炭素排出量が表示されていることから、その数値を見る機会が増加する。従って、一般家庭の家計簿使用者に対して、支出項目に該当する支出対象の二酸化炭素排出量を日常的に知らしめることができ、一般家庭のおける二酸化炭素排出量への意識を徐々に向上させ、結果として国民の全体レベルでの日常の二酸化炭素排出問題に対する関心を高めることができる。【選択図】図１
2008234516.tif 000002
【特許請求の範囲】
【請求項１】
家計における支出項目毎の支出額データの入力を行うデータ入力手段と、入力された支出額データと他の種々のデータに基づいた収支データを表示するデータ表示手段と、を有する家計簿システムにおいて、
前記データ入力手段に入力された前記支出額データを用いて該支出額データに対応する支出対象による直接的及び／又は間接的な二酸化炭素排出量を推定算出する二酸化炭素排出量推定算出手段を有し、
前記データ表示手段では、
前記収支データの表示を行う際に前記二酸化炭素排出量のデータを同時に表示するようにしたことを特徴とする家計簿システム。
【請求項２】
前記間接的な二酸化炭素の排出量は、
一般家庭において前記支出対象を享受することに起因して排出される二酸化炭素の排出量であることを特徴とする請求項１又は２に記載の家計簿システム。
【請求項３】
前記データ表示手段は、
前記収支データと同じ画面上でかつ該収支データの表示位置の近傍に前記二酸化炭素排出量を表示することを特徴とする請求項１又は２に記載の家計簿システム。
【発明の詳細な説明】
【技術分野】
【０００１】
本発明は、家計簿システムに関し、特に、家計の収支をコンピュータ上で記録する家計簿システムに関する。
【背景技術】
【０００２】
一般家庭の日常生活において、例えば、電気代、ガス代等の光熱費、水道代、食費、雑費などの支出項目と、給料や賞与等の収入項目を継続的に記録する家計簿が知られている。従来、このような家計簿には、手書きノートなどが利用されていたが、近年では、コンピュータ上で家計簿を付けるソフトウェア、いわゆる家計簿ソフトが広く知られ利用されるようになってきた。
【０００３】
この家計簿ソフトでは、例えば、利用者が支出項目と支出額、及び、収入項目と収入額等を入力することで、自動的に、収入合計、支出合計及び収入合計から支出合計を引いた収支を算出し、表示する。
【０００４】
一方、環境家計簿と称されているものが有り、これは実際の家計簿ではないが、一般の人々が二酸化炭素（以下、ＣＯ２）の排出量を記録できる形式となっている。この環境家計簿は、企業や個人が、日常生活における電気、ガス等のエネルギー及び、水道の使用によって、ＣＯ２がどれくらい排出されるかを継続的に記録するために用いられるものである。
【０００５】
この記録におけるＣＯ２排出量の算出は、まず、電気、ガス等のエネルギーと水道のＣＯ２排出対象の使用量を、電気であればkWh、ガスであればｍ3等のＣＯ２排出対象毎の固有の単位で表す。そして、ＣＯ２排出対象の使用量を所定の係数と乗じることでＣＯ２排出量を算出できる。なお、この所定の係数は、ＣＯ２排出係数と呼ばれており、ＣＯ２排出対象の使用量と乗じられることでＣＯ２排出量が算出されるように、すなわち、ＣＯ２排出対象の単位使用量あたりのＣＯ２排出量となるように過去の計測によって定められたものである。
【０００６】
このようなＣＯ２排出対象は、ガソリンやガス等のように一般人が使用した時にＣＯ２が直接排出される直接排出対象と、電気や水道等のように、一般人による使用時ではなくその生成時や運搬時に必要なエネルギーを製造するためにＣＯ２が排出される間接排出対象の２種類に分けることができる。
【０００７】
例えば、ガスのＣＯ２排出係数は約２．１kg/ｍ3と定められているので、ガスを３０ｍ3使用したとすると、２．１×３０＝６３kgの二酸化炭素が直接的に排出されたこととなり、電気のＣＯ２排出係数は、０．５５５と定められているので、電気を１０Ｋｗｈ使用したとすると、１０×０．５５５＝５．５５kgのＣＯ２が間接的に排出されたこととなる。
【０００８】
このように、環境家計簿は、産業活動や日常生活におけるＣＯ２排出量を算出できるようにすることで、ＣＯ２排出量を把握させ、ＣＯ２の削減の意識を向上させることを目的としたものである。
【０００９】
このような環境家計簿の一例が特許文献１に記載されている。特許文献１に記載の環境家計簿は、ＣＯ２排出対象の一部であるガス、水道、電力の使用量を測定する測定手段を設置し、コンピュータ上で、それらの量からＣＯ２排出量を算出することで、グラフ表示を行う計測機能付き環境家計簿が記載されている。この構成によれば、各ＣＯ２排出対象からそれぞれのＣＯ２排出量が、コンピュータ上で自動的に演算される。
【００１０】
【特許文献１】特開２００５−１９６５２６号公報
【発明の開示】
【発明が解決しようとする課題】
【００１１】
しかし、特許文献１を含む従来の環境家計簿は、産業活動を行っている事業者や、環境問題に対して関心が高い一部の者にのみ使用されているものであり、一般家庭の人々には、なじみが薄く、また、使用意欲を誘引するものではなかった。従って、従来の環境家計簿は、一般家庭の人々への普及が不十分であり、多くの一般家庭の人々のＣＯ２削減に対する意識を向上させるためには役立っていないのが実情である。
【００１２】
本発明は、このような事情に鑑みてなされたものであり、その目的は、一般家庭で使用される家計簿を通じて国民におけるＣＯ２削減の意識を向上させることのできる家計簿システムを提供することにある。
【課題を解決するための手段】
【００１３】
上記課題を解決するために請求項１に記載の家計簿システムは、家計における支出項目毎の支出額データの入力を行うデータ入力手段と、入力された支出額データと他の種々のデータに基づいた収支データを表示するデータ表示手段と、を有する家計簿システムにおいて、前記データ入力手段に入力された前記支出額データを用いて該支出額データに対応する支出対象による直接的及び／又は間接的な二酸化炭素排出量を推定算出する二酸化炭素排出量推定算出手段を有し、前記データ表示手段では、前記収支データの表示を行う際に前記二酸化炭素排出量のデータを同時に表示するようにしたことを特徴とする。
【００１４】
これにより、日常生活の支出対象による二酸化炭素排出量が推定算出され、家計の収支と伴に自動的に表示され、家計簿使用者は、収支結果を確認するときに、同時に二酸化炭素排出量が表示されていることから、その数値を見る機会が増加する。従って、一般家庭の家計簿使用者に対して、支出項目に該当する支出対象の二酸化炭素排出量を日常的に知らしめることができる。
【００１５】
これによって、一般家庭のおける二酸化炭素排出量への意識が徐々に高まり、結果として国民の全体レベルでの日常の二酸化炭素排出問題に対する関心を高めることができる。
【００１６】
請求項２に記載の発明は、請求項１に記載の家計簿システムにおいて、前記間接的な二酸化炭素の排出量は、一般家庭において前記支出対象を享受することに起因して排出される二酸化炭素の排出量であることを特徴とする。
【００１７】
これにより、二酸化炭素排出の問題に対して知識の乏しい者には、一般家庭において、金銭を支払って享受し得るあらゆるものが二酸化炭素排出の原因となっているということと、そのおおまかな排出量を知らしめることができる。従って、一般家庭の人々の二酸化炭素排出の問題に対する関心を更に高めることができる。
【００１８】
請求項３に記載の発明は、請求項１又は２に記載の家計簿システムにおいて、前記データ表示手段は、前記収支データと同じ画面上でかつ該収支データの表示位置の近傍に前記二酸化炭素排出量を表示することを特徴とする。
【００１９】
これにより、家計簿利用者は、日常的に家計の収支をチェックする際に、必ず、各支出対象の二酸化炭素排出量が視界に入ることとなる。従って、家計簿利用者が収支結果を確認する毎に、当該家計簿利用者は二酸化炭素排出量を見せられることになる。
【発明の効果】
【００２０】
本発明によれば、一般家庭の人々に対して支出項目に該当する支出対象の推定二酸化炭素排出量を日常的に知らしめることができることによって、一般家庭の人々に、日常の支出対象から二酸化炭素がどの程度排出されるかをおおよそ把握させ、それら人々の二酸化炭素排出の問題に対する関心を高めることができる。従って、結果として、国民全体レベルで二酸化炭素排出問題に対する意識を向上させることができる。
【発明を実施するための最良の形態】
【００２１】
以下、本発明にかかる第１の実施の形態について図面を参照して詳細に説明する。図１は、本実施の形態に係る家計簿システム１０の構成を示している。本実施の形態の家計簿システム１０は、パーソナルコンピュータや携帯端末等のコンピュータで起動するアプリケーションプログラムにより実現され、データ入力手段としてのキーボード１２と、ＣＰＵ等の演算手段、メインメモリ、ハードディスク等の記憶手段により実現されるＣＯ２排出量推定算出手段１３と、データ表示手段としてのディスプレイ１４と、を有しおり、これら各手段は、上記アプリケーションプログラムの起動に伴って作動する。
【００２２】
キーボード１２は、給与や賞与等の収入項目の額である収入額データと、電気代、ガス代、水道代、ガソリン代、衣服代等の支出項目の額である支出額データ、すなわち、各支出対象の価格データを入力するものである。なお、データ入力手段としては、キーボードを用いることが好適であるが、マウスやスキャナー、或いは、それら全てを用いることも可能である。
【００２３】
ＣＯ２排出量推定算出手段１３は、支出項目に該当する支出対象、すなわちＣＯ2排出対象の直接的及び／又は間接的なＣＯ２排出量を推定算出するものであり、ハードディスク等の記憶手段で実現される推定ＣＯ２排出係数データベース１６と、ＣＰＵ等の演算手段とメインメモリで実現される推定ＣＯ２排出係数抽出手段１８と、ＣＰＵ等の演算手段で実現される推定ＣＯ２排出量計算手段２０と、を有している。
【００２４】
推定ＣＯ２排出係数データベース１６は、上述のように、例えば、電気、ガス、水道、ガソリン等のＣＯ２排出対象の推定ＣＯ２排出係数を記録したものである。
【００２５】
図２にＣＯ２推定排出係数データベース１６に記録されたデータ例を示す。図示のように、例えば、電気であれば、推定ＣＯ２排出係数は、０．００４６２５であり、ガスであれば０．０１９１０９１である。この推定ＣＯ２排出係数は、（推定ＣＯ２排出係数）×（ＣＯ２排出対象の価格）が実際のＣＯ２排出対象の直接及び／又は間接ＣＯ２排出量に近い値となるように過去の計測により定められる。すなわち、本実施の形態の推定ＣＯ２排出係数とは、価格１円あたりのＣＯ２排出対象によって、直接及び／又は間接的に排出されるＣＯ２の量として定義される。
【００２６】
なお、本実施の形態では、電気、ガス、ガソリン等のエネルギー資源と、水道に関しては、上述のように、従来から一般に使用されているＣＯ２排出係数を単位使用量あたりの価格で除することにより求められる。例えば、電気であれば、１kWhあたり１２０円でＣＯ２排出係数が０．５５５であるので、本実施の形態の推定ＣＯ２排出係数は、０．５５５÷１２０＝０．００４６２５と求めることができる。
【００２７】
また、本実施の形態では、通信、食料品、衣類、旅行についても推定ＣＯ２排出係数を定義する。この定義の方法としては、例えば、価格１円あたりのそれらＣＯ２排出対象がどれだけのＣＯ２を直接及び／又は間接的に排出するかを統計的に計測し、得られた数値を推定ＣＯ２排出係数とする。
【００２８】
ここで通信、食料品、衣類、旅行等の一般的な日常の支出対象によるＣＯ２の排出とは、一般の家庭の人々が支出対象を享受することに起因するＣＯ２の排出である。このＣＯ２の排出は、例えば、「食料品」であれば、その食料品を製造、運搬におけるエネルギーの使用によるＣＯ２の排出として定義され、また、「旅行」であれば、移動のための自動車の走行によるＣＯ２の排出等として定義される。
【００２９】
なお、このように定義されるＣＯ２の排出において、その排出量を厳密に測定し推定ＣＯ２排出係数を定めることは難しいが、本実施の形態では、上述のように統計的な手法で、それらのＣＯ２排出対象の排出量の平均的な値を求め、推定ＣＯ２排出係数を決定する。これにより、本実施の形態の家計簿システム１０では、あらゆる日常生活の支出対象に推定ＣＯ２排出係数が定められている。
【００３０】
従って、「食料品」や「衣類」等、一般の人において従来ＣＯ２排出対象として見られていなかった日常生活の支出対象が、ＣＯ２排出対象になり得るということをＣＯ２の問題に対して知識の乏しい者にも知らしめることができる。
【００３１】
なお、上述のような統計的手法を用いることによって、例えば、ガス等のようにその運搬時等に間接的にＣＯ２を排出し、しかもその使用時に直接的にＣＯ２を排出する対象、すなわち、直接的にも間接的にもＣＯ２を排出するＣＯ２排出対象おいて、直接的に排出されるＣＯ２の量と間接的に排出されるＣＯ２の量を両方測定し、そのＣＯ２排出量の合計からＣＯ２排出係数を定めても良い。
【００３２】
推定ＣＯ２排出係数抽出手段１８は、ＣＯ２排出対象の推定ＣＯ２排出係数を推定ＣＯ２排出係数データベース１６から抽出するものである。推定ＣＯ２排出量計算手段２０は、キーボード１２に入力されたＣＯ２排出対象毎の価格のデータと推定ＣＯ２排出係数抽出手段１８により抽出された推定ＣＯ２排出係数を乗じて推定ＣＯ２排出量を計算するものである。
【００３３】
図３には、推定算出された推定ＣＯ２排出量が示されている。例えば、ＣＯ２排出対象が「電気」で、電気使用量が８２００円の場合、推定ＣＯ２排出係数が０．０４６２５（図２参照）であるので、推定ＣＯ２排出量は、８２００×０．０４６２５＝３７．９３（kg）と算出される。
【００３４】
ディスプレイ１４は、キーボード１２に入力された収入額データと価格のデータに基づく収支データ及び、ＣＯ２排出量推定算出手段１３によって推定算出されたＣＯ２排出対象毎の推定ＣＯ２排出量のデータを表示する。なお、本実施の形態では、このディスプレイ１４には、上記アプリケーションプログラムの起動に伴い、支出額や収入額の入力を行う入力フォーム画面が表示される。
【００３５】
図４には、このディスプレイ１４に表示される入力画面の態様が示されている。図示のように、収入項目に「給与」、支出項目に「電気代」、「ガス代」、「ガソリン代」等が予め表示され、システム利用者が、キーボード１２を用いてそれぞれの項目に対応する収入額又は、支出額の欄にデータを入力できるようになっている。なお、本実施の形態では、各収入額データ、支出額データを一ヶ月分のみ入力できるように、入力欄が表示されているが、一日毎や1週間毎に入力できるように表示させても良い。
【００３６】
そして、本実施の形態の家計簿システム１０におけるディスプレイ１４には、例えば１月の家計の支出額に対応して、一ヶ月分のＣＯ２排出量が表示される。従って、各データの入力を行うことによって、このＣＯ２排出量が家計の支出が表示された部分のすぐ横に表示される。これにより、システム利用者は、自然に支出項目に対応する支出対象毎のＣＯ２排出量を把握することができる。
【００３７】
以下、家計簿システム１０の流れについて図１〜図４を参照し、具体的数値を用いて説明する。先ず、一般家庭のシステム利用者によってキーボード１２を用いて、収入額データである「給与」の金額と、支出額データ、すなわち、価格データとしての「電気代」、「ガス代」、「ガソリン代」、「水道代」、「通信代」、「食料品代」、「衣類代」、「旅行代」の金額が入力される。図４に示すように、本実施の形態では、「電気代」が８２００円、「ガス代」が５２００円、「ガソリン代」が７３００円、「水道代」が３２００円、「通信代」が１４５２０円、「食料品代」が４７２２０円、「衣類代」が２３０００円、「旅行代」が７５６００円である。
【００３８】
次に、推定ＣＯ２排出係数抽出手段１８によって、推定ＣＯ２排出係数データベース１６からＣＯ２排出対象に対応する推定ＣＯ２排出係数が抽出される。具体的に推定ＣＯ２排出係数は、図２に示すように、「電気」が０．００４６２５、「ガス」が０．０１９１０９１、「ガソリン」が０．０１７６９２、「水道」が０．００６４４４、「通信」が０、「食料品」が０．０００５３５、「衣類」が０．０００４１、「旅行」が０．０００１であり、これらの数値が抽出される。なお、本実施の形態では、「通信」に関しては、主に電話の通話料であるが、それが原因となって排出されるＣＯ２の量がほぼ０と見なせる程度に少ないので、ＣＯ２排出係数を０と定める。
【００３９】
次に、推定ＣＯ２排出量計算手段２０によって、キーボード１２に入力された各ＣＯ２排出対象の価格と、推定ＣＯ２排出係数抽出手段１８によって抽出される対応した各推定ＣＯ２排出係数と、を乗じて推定ＣＯ２排出量が算出される。具体的に推定ＣＯ２排出量は、「電気」が８２００×０．００４６２５≒３７．９３（ｋｇ）、「ガス」が５２００×０．０１９１０９１≒９９．３７（ｋｇ）、「ガソリン」が７３００×０．０１７６９２≒１２９．２（ｋｇ）、「水道」が３２００×０．００６４４４≒２０．６２（ｋｇ）、「通信」が１４５２０×０＝０（ｋｇ）、「食料品」が４７２２０×０．０００５３５＝２５．２６（ｋｇ）、「衣類」が２３０００×０．０００４１＝９．４３（ｋｇ）、「旅行」が７５６００×０．０００２＝７．５６（ｋｇ）と算出される（図３参照）。
【００４０】
次に、ディスプレイ１４によって、図４に示されるように、推定ＣＯ２排出量計算手段２０で計算された推定ＣＯ２排出量および一ヶ月分の推定ＣＯ２排出量の合計が、収支データとともに同一画面上で表示される。更に、本実施の形態では、各支出項目の価格のすぐ横に推定ＣＯ２排出量が並んで表示されている。
【００４１】
これにより、本実施の形態の家計簿システム１０の利用者が、家庭の収支をチェックする際に、すぐ横に表示されている推定ＣＯ２排出量の表示が必ず視界に入ることとなり、システム利用者は、自然にこの推定ＣＯ２排出量を認識することとなる。
【００４２】
以上により、本実施の形態の家計簿システム１０によれば、日常生活の支出対象によるＣＯ２排出量が推定算出され、家計の収支と伴に表示されることとなる。従って、従来の環境家計簿においては、事業者や一部の限られた者の使用を除いて一般の人々には、ほとんど使用されていなかったが、本実施の形態の家計簿システム１０では、家計簿を付けるという日常的な作業を通じて、収支と同時にＣＯ２排出量が表示されていることから、当該システム利用者がその数値を見る機会が増加する。従って、一般家庭の人々に、各支出対象の推定ＣＯ２排出量を日常的に知らしめることができる。これによって、一般家庭のおけるＣＯ２排出量への意識が徐々に高まり、結果として国民の全体レベルでの日常のＣＯ２排出問題に対する関心を高めることができる。
【００４３】
また、本実施の形態では、上述のように、「食料品」や「衣類」等、従来ＣＯ２排出対象として見られていなかった日常生活の支出対象がＣＯ２排出対象になり得るということを、ＣＯ２の問題に対して知識の乏しい者にも知らしめることができる。従って、金銭を支払って享受し得るあらゆるものがＣＯ２排出の原因となっているということと、そのおおまかなＣＯ２排出量を知らしめることができる。従って、一般家庭の人々のＣＯ２排出の問題に対する関心を更に高めることができる。
【００４４】
なお、本発明は、上記実施の形態に限られるものではなく、発明の要旨の範囲内で種々の変更が可能である。例えば、本実施の形態では、一ヶ月分の推定ＣＯ２排出量の合計のみを表示したが、前の月の推定ＣＯ２排出量の合計、前の年で同じ月の推定ＣＯ２排出量の合計を一緒に対比させて表示しても良い。これにより、一般家庭の人々に日常生活における推定ＣＯ２排出量の推移を容易に把握させることができる。
【００４５】
また、本実施の形態では、いくつかの収入項目と支出項目における支出対象、例えば、給与、電気、ガス、水道等がディスプレイ１４により初期状態で表示されており、その支出対象毎に決められた欄に収入額データ及び支出額データを入力するようになっているが、初期状態で所望の支出対象が表示されない場合を考慮して、収入項目や支出項目を新たに追加できるようにしても良い。
【００４６】
更に、本実施の形態において、推定ＣＯ２排出係数は、ＣＯ２排出対象の価格１円あたりのＣＯ２排出量として決定されているが、これに限られるものではく、例えば、各ＣＯ２排出対象の所定の単位価格を定め、その単位価格分のＣＯ２排出対象のＣＯ２排出量として推定ＣＯ２排出係数を定めても良い。
【００４７】
これにより、電気、ガス、水道等のエネルギー資源に関しては、上記単位価格を従来のＣＯ２排出係数で定められた単位量（電気なら１ｋＷｈ、ガスなら１ｍ3）の価格に設定することによって、推定ＣＯ２排出係数として従来から定められているＣＯ２排出係数をそのまま用いることができるので、推定ＣＯ２排出係数の決定が容易となる。
【図面の簡単な説明】
【００４８】
【図１】家計簿システムの構成の説明図である。
【図２】ＣＯ２排出対象毎の推定ＣＯ２排出係数の一例を示す図である。
【図３】ＣＯ２排出対象毎の推定ＣＯ２排出量の一例を示す図である。
【図４】データの表示画面の一例を示す図である。
【符号の説明】
【００４９】
１０        家計簿システム
１２        キーボード（データ入力手段）
１３        ＣＯ２排出量推定算出手段（二酸化炭素排出量推定算出手段）
１４        ディスプレイ（データ表示手段）
１６        推定ＣＯ２排出係数データベース（推定二酸化炭素排出係数データベース）
１８        推定ＣＯ２排出係数抽出手段（推定二酸化炭素排出係数抽出手段）
２０        推定ＣＯ２排出量算出手段（推定二酸化炭素排出量算出手段）
【図１】
2008234516.tif 000003
【図２】
2008234516.tif 000004
【図３】
2008234516.tif 000005
【図４】
2008234516.tif 000006